(57)【要約】【課題】取り付け部材に取り付けられる筒型電源において、締結部材の回転動作に応じて筒型電源が回転するのを抑制する。【解決手段】筒型電源本体の両端に設けられた第１及び第２のネジ軸部（２１、２２）を介して取り付け部材（１）に取り付けられる筒型電源（２）であって、第１及び／又は第２のネジ軸部は、前記筒型電源本体の長手方向中心軸（Ｙ１）に対して偏芯していることを特徴とする筒型電源。【選択図】図２
2008135357.tif 000002
【特許請求の範囲】
【請求項１】
筒型電源本体の両端に設けられた第１及び第２のネジ軸部を介して取り付け部材に取り付けられる筒型電源であって、
前記第１及び／又は第２のネジ軸部は、前記筒型電源本体の長手方向中心軸に対して偏芯していることを特徴とする筒型電源。
【請求項２】
前記第１及び第２のネジ軸部には、締結部材が締結されることを特徴とする請求項１に記載の筒型電源。
【請求項３】
前記筒型電源本体を封止するとともに、前記第１のネジ軸部を保持する保持部を有し、
前記保持部にはガス放出弁が設けられており、前記第１のネジ軸部及び前記ガス放出弁は、前記長手方向中心軸に直交する方向において異なる位置に設けられていることを特徴とする請求項１又は２に記載の筒型電源。
【請求項４】
前記筒型電源本体を封止するとともに、前記第１のネジ軸部を保持する保持部を有し、
前記保持部には電解液注入口が設けられており、前記第１のネジ軸部及び前記電解液注入口は、前記長手方向中心軸に直交する方向において異なる位置に設けられていることを特徴とする請求項１又は２に記載の筒型電源。
【請求項５】
前記長手方向中心軸視において、
前記第１及び第２のネジ軸部は、同軸上又は前記長手方向中心軸に対して点対称に対応した位置に配置されることを特徴とする請求項１乃至４のうちいずれか一つに記載の筒型電源。
【請求項６】
筒型電源が複数並設され、隣接する筒型電源の電極を導電板を介して直列に接続した電源体であって、
前記筒型電源は請求項５に記載の筒型電源であり、前記第１及び前記第２のネジ軸部は前記電極を兼ねており、前記導電板によって接続される電極間の間隔が等しいことを特徴とする電源体。
【発明の詳細な説明】
【技術分野】
【０００１】
本発明は、取り付け部材に取付けられる筒型電源及びこの筒型電源を直列に接続した電源体に関する。
【背景技術】
【０００２】
近年、環境意識の高まりを受けて、自動車の動力源を、化石燃料を利用するエンジンから電気エネルギーを利用するモータに移行する動きがある。このため、モータの電力源となる電池の技術も急速に発展しつつある。
【０００３】
例えば、ハイブリッド自動車では、小型軽量、高出力で、かつ、装置寿命の長い蓄電装置が駆動用又は補助電源として望まれており、電池を直列又は並列接続した組電池が用いられる。
【０００４】
特許第３６５０６５９号明細書（特許文献１）には、円筒型電池の中心を通る極柱に雌ネジを形成した円筒型電池が開示されている。
【０００５】
図８を参照して、従来の円筒型電池を用いた組電池の組立方法を説明する。ここで、図８（ａ）は、従来の円筒型電池の斜視図であり、図８（ｂ）は従来の円筒型電池の断面図である。
【０００６】
円筒型電池２００の両端には凸状の正極ネジ軸部２１０及び負極ネジ軸部２１１が設けられている。正及び負極ネジ軸部２１０、２１１の外周面にはネジ溝が切られており、正極ネジ軸部２１０のネジ軸Ｙ２及び負極ネジ軸部２１１のネジ軸Ｙ３は、円筒型電池２００の長手方向中心軸Ｙ１と同軸上に配置されている。
【０００７】
対向する一対の電池フォルダ（不図示）には、マトリクス状に多数の挿入穴部が形成されており、これらの挿入穴部に正及び負極ネジ軸部２１０、２１１を挿入することにより、電池フォルダ間に差し渡すようにして円筒型電池２００は支持される。
【０００８】
電池フォルダから突出した正及び負極ネジ軸部２１０、２１１に対してバスバー３００の上から締結ナット２３０を締結することにより、電池フォルダに各円筒型電池２００が固定される。
【特許文献１】特許第３６５０６５９号明細書
【特許文献２】特開２０００−１０６１６４号公報
【特許文献３】特開２００５−３５３５４７号公報
【特許文献４】特開２００２−２６０６０５号公報
【発明の開示】
【発明が解決しようとする課題】
【０００９】
しかしながら、上述の構成では、ネジ軸Ｙ２、Ｙ３及び中心軸Ｙ１が同軸上に配置されているため、ナット２３０の回転動作に応じて、円筒型電池２００が回転するおそれがある。
このため、電池フォルダの穴部やバスバーに回転した負電極部２１０が当接して、過剰な負荷がかかるおそれがある。
【００１０】
また、ネジ軸Ｙ２、Ｙ３を中心軸Ｙ１と同軸に配置した場合には、高温時に電池要素から発生するガスを電池の外側に噴出させるためのガス放出弁や電解液注入口の面積が狭くなる。
【００１１】
そこで、本願発明は、締結部材の回転動作に応じて筒型電源が回転するのを抑制することを第１の目的とする。
【００１２】
また、本願発明は、ガス放出弁の形成スペースを従来技術よりも広くすることを第２の目的とする。
【００１３】
また、本願発明は、電解液注入口の形成スペースを従来技術よりも広くすることを第３の目的とする。
【課題を解決するための手段】
【００１４】
上記第１の目的を達成するために、本願発明の円筒型電源は、筒型電源本体の両端に設けられた第１及び第２のネジ軸部を介して取り付け部材に取り付けられる筒型電源であって、前記第１及び／又は第２のネジ軸部は、前記筒型電源本体の長手方向中心軸に対して偏芯していることを特徴とする。
【００１５】
ここで、前記第１及び第２のネジ軸部に締結部材を締結することにより、取り付け部材に円筒型電源を取付けることができる。
【００１６】
また、上記第２の目的を達成するために、前記筒型電源本体を封止し、前記第１のネジ軸部を保持する保持部を設けるとともに、前記保持部にガス放出弁を設け、前記第１のネジ軸部及び前記ガス放出弁を、前記長手方向中心軸に直交する方向において異なる位置に設けるとよい。
【００１７】
また、上記第３の目的を達成するために、前記筒型電源本体を封止し、前記第１のネジ軸部を保持する保持部を設けるとともに、前記保持部には電解液注入口が設け、前記第１のネジ軸部及び前記電解液注入口を、前記長手方向中心軸に直交する方向において異なる位置に設けるとよい。
【００１８】
さらに、前記長手方向中心軸視において、前記第１及び第２のネジ軸部を、同軸上又は前記長手方向中心軸に対して点対称に対応する位置に配置するとよい。この円筒型電源は、円筒型電源が複数並設され、隣接する円筒型電源の電極を導電板を介して直列に接続した電源体に適用することができる。この場合、前記第１及び前記第２の電極に前記電極を兼ねさせることにより、前記電極板によって接続される電極間の間隔を等しくすることができる。
【発明の効果】
【００１９】
本願発明によれば、前記第１及び第２のネジ軸部に締結部材を締結する際に、締結部材の回転動作に応じて筒型電源が回転するのを抑制できる。
【発明を実施するための最良の形態】
【００２０】
以下、本発明の実施例について説明する。
【実施例１】
【００２１】
（組電池の概略構成）
図１、図２及び図３を参照して、本実施例の円筒型電池（筒型電源）を複数並設して、隣接する円筒型電池の電極をバスバーを介して直列に接続した組電池（電源体）の構成について説明する。図１は組電池の斜視図である。図２は円筒型電池の図であり、（ａ）が斜視図であり、（ｂ）が断面図であり、負極ネジ軸部２２を投影して図示している。また、図３は組電池の平面図であり、説明を容易にするために締結ナットを省略して図示している。円筒型電池は、リチウムイオン電池である。
【００２２】
これらの図において、組電池Ａは、対向配置される一対の電池フォルダ１ａ、１ｂ（取り付け部材）と、これらの電池フォルダ１ａ、１ｂ間に差し渡すように配置された３２個（８（Ｘ軸方向）×４（Ｙ軸方向））の円筒型電池２１〜２３２とから構成される。なお、円筒型電池２１０〜２１６、２１８〜２２４、２２６〜２３２は、不図示としている。
【００２３】
各円筒型電池２の一端及び他端にはそれぞれ、外周面にネジ溝部２１ａ、２２ａが形成された正及び負極ネジ軸部２１、２２（第１及び第２のネジ軸部）が設けられている。これらの正及び負極ネジ軸部２１、２２の正及び負ネジ軸Ｙ２、Ｙ３は、図２に図示するように、円筒型電池２の長手方向中心軸Ｙ１に対して偏芯した点対称の位置に配置されている。
【００２４】
すなわち、長手方向中心軸Ｙ１及び正ネジ軸Ｙ２の軸間距離をＬ１、長手方向中心軸Ｙ１及び負ネジ軸Ｙ３の軸間距離をＬ２としたときに、Ｌ１＝Ｌ２であり、これらの軸Ｙ１、Ｙ２及びＹ３は同一面内に設けられている。
【００２５】
電池フォルダ１ａ、１ｂには、各円筒型電池２の正及び負極ネジ軸部２１、２２を挿入するための挿入穴部１１ａ、１１ｂがマトリクス状に複数形成されており、取り付け状態において、正及び負極ネジ軸部２１、２２はそれぞれ挿入穴部１１ａ、１１ｂから電池フォルダ１の外側に突出している（図１参照）。
【００２６】
最上列に配置される円筒型電池２１〜２８は、図３に図示するように、正極及び負極の向きが交互に逆向きとなるように、矢印Ｘ方向に並設されている。
【００２７】
具体的には、円筒型電池２１の正及び負極ネジ軸部２１、２２はそれぞれ電池フォルダ１ａの挿入穴部１１ａ及び電池フォルダ１ｂの挿入穴部１１ｂに挿入されている。
【００２８】
そして、この円筒型電池２１の矢印Ｘ方向に隣接配置される円筒型電池２２は、円筒型電池２１をＹＺ面内において１８０°反転させるとともに、長手方向中心軸Ｙ１周りに１８０°回転させた向きに配置されており、円筒型電池２２の正及び負極ネジ軸部２１、２２はそれぞれ、挿入穴部１１ｂ及び１１ａに挿入されている。
【００２９】
円筒型電池２３、２５、２７は、円筒型電池２１と同じ配置になっており、円筒型電池２４、２６、２８は、円筒型電池２２と同じ配置になっている。
【００３０】
なお、上中列に並設される円筒型電池２９〜２１６のうち、円筒型電池２９、２１１、２１３、２１５は、負極ネジ軸部２２が電池フォルダ１ａ側に配置されており（つまり、円筒型電池２２と同じ）、円筒型電池２１０、２１２、２１４、２１６は、正極ネジ軸部２１が電池フォルダ１ａ側に配置されている（つまり、円筒型電池２１と同じ）。
【００３１】
また、下中列に並設される円筒型電池２１７〜２２４のうち、円筒型電池２１７、２１９、２２１、２２３は電池フォルダ１ａ側に正極ネジ軸部２１が配置されており（つまり、円筒型電池２１と同じ）、円筒型電池２１８、２２０、２２２、２２４は電池フォルダ１ａ側に負極ネジ軸部２２が配置されている（つまり、円筒型電池２２と同じ）。
【００３２】
また、最下列に並設される円筒型電池２２５〜２３２のうち、円筒型電池２２５、２２７、２２９、２３１は電池フォルダ１ａ側に負極ネジ軸部２２が配置されており（つまり、円筒型電池２２と同じ）、円筒型電池２２６、２２８、２３０、２３２は電池フォルダ１ａ側に正極ネジ軸部２１が配置されている（つまり、円筒型電池２１と同じ）。
【００３３】
バスバー（導電板）３には、二つのバスバー開口部３ａが矢印Ｘ方向に並んで形成されており、これらの開口部３ａには、隣接する円筒型電池２の正及び負極ネジ軸部２１、２２が挿入されている。これにより、各円筒型電池２を直列に接続することができる。なお、バスバー３の材料としては、銅を例示できる。
【００３４】
ここで、上述したように、正及び負極ネジ軸部２１，２２のネジ軸Ｙ２、Ｙ３は、長手方向中心軸Ｙ１に対して偏芯した点対称の位置に配置されている。これにより、バスバー３を介して接続される正及び負極ネジ軸部２１、２２間の間隔を全て等しくすることができる。その結果、同じサイズのバスバー３を使用することが可能となり、コストを削減することができる。
【００３５】
なお、ネジ軸Ｙ２、Ｙ３は、長手方向中心軸Ｙ１に対して偏芯した同軸上に配置することもできる。同軸上に配置した場合も、バスバー３を介して接続される正及び負極ネジ軸部２１、２２間の間隔を全て等しくすることができる。
【００３６】
バスバー開口部３ａに挿入された正及び負極ネジ軸部２１、２２には、締結ナット（締結部材）２３が締結される。この締結ナット２３を正及び負極ネジ軸部２１、２２に締結させることにより、電池フォルダ１に円筒型電池２は固定される。
【００３７】
ここで、正極ネジ軸部２１に締結ナット２３を締結する際に、円筒型電池２に対して正ネジ軸Ｙ２周りの回転力が付与される。
【００３８】
しかしながら、正ネジ軸Ｙ２は、円筒型電池２の長手方向中心軸Ｙ１に対して偏芯しているため、モーメントが働き、締結ナット２３の回転動作に応じて円筒型電池２が回転するのを抑制できる。
【００３９】
これにより、バスバー開口部３ａや挿入穴部１１ｂに回転した負極ネジ軸部２２が当接して、過剰に負荷がかかるのを抑制できる。なお、負極ネジ軸部２２に締結ナット２３を締結する場合にも同様の効果を得ることができる。
（円筒型電池２の詳細な構成）
次に、図４を参照して、各円筒型電池２の構成を詳細に説明する。筒状の電池外套缶２４の内側には電池体２５が組み込まれている。
【００４０】
この電池体２５は、両面に正活物質が塗布された帯状の正電極体２５ｂと両面に負活物質が塗布された帯状の負電極体２５ｃとをセパレータ２５ａを介して渦巻状に巻き回すことにより構成されている。
【００４１】
電池外套缶２４の内側には、電解液が注入されており、電池体２５はこの電解液の中に浸された状態となっている。なお、電解液は、セパレータ２５ａの中に含浸させてもよい。
【００４２】
正活物質として、リチウム−遷移元素複合酸化物であるＬｉＣｏＯ2 、ＬｉＮｉＯ2 、ＬｉＦｅＯ2 、ＬｉＣｕＯ2 、ＬｉＭｎＯ2 、ＬｉＭＯ2 （ＭはＣｏ、Ｎｉ、Ｆｅ、Ｃｕ及びＭｎよりなる群から選ばれた少なくとも２種の遷移元素）、ＬｉＭｎ2 Ｏ4 が例示される。負活物質としては、リチウムイオンを電気化学的に吸蔵及び放出することが可能なものであれば特に限定されない。具体例としては、天然黒鉛、人造黒鉛、コークス、有機物焼成体、金属カルコゲン化物が挙げられる。
【００４３】
電解液の溶質として使用するリチウム塩としては、ＬｉＣｌＯ4 、ＬｉＣＦ3 ＳＯ3 、ＬｉＰＦ6 、ＬｉＮ（ＣＦ3 ＳＯ2 ）2 、ＬｉＮ（Ｃ2Ｆ5 ＳＯ2 ）2 、ＬｉＢＦ4 、ＬｉＳｂＦ6 及びＬｉＡｓＦ6 が例示され、リチウム塩を溶かすために使用する有機溶媒としては、エチレンカーボネート、プロピレンカーボネート、ビニレンカーボネート、ブチレンカーボネート等の環状炭酸エステルと、ジメチルカーボネート、ジエチルカーボネート、メチルエチルカーボネート等の鎖状炭酸エステルとの混合溶媒が例示される。
【００４４】
電池体２５の電池長手方向（Ｙ方向）の両端には、円板状の集電板２６が溶接されている。集電板２６の資材としては、アルミニウム箔、ステンレス箔、銅箔を例示できる。
【００４５】
集電板２６は、導電線２７を介して、正及び負極ネジ軸部２１、２２に対して電気的及び機械的に接続されている。
【００４６】
正極ネジ軸部２１は、円柱状のネジ台座部２８上に形成されており、このネジ台座部２８は、円盤状の平板部（保持部）２９に保持されている。なお、これらの正極ネジ軸部２１、ネジ台座部２８及び平板部２９は一体的に形成されている。
【００４７】
正極ネジ軸部２１のネジ軸Ｙ２は、円筒型電池２の長手方向中心軸Ｙ１に対して偏芯しており、ネジ台座部２８は、正極ネジ軸部２１よりも径が大きく設定されている。
【００４８】
また、平板部２９は、その外径寸法が電池外套缶２４の内径寸法よりも若干大きく設定されており、電池外套缶２４内に圧入されている。このように、平板部２９を電池外套缶２４内に圧入させることにより、外気から電池体２５を封止することができる。
【００４９】
また、平板部２９における円筒型電池２外側の面には、円筒型電池２の内側方向に窪んだガス放出弁２９´が設けられている。このガス放出弁２９´は、平板部２９にパンチ加工を施すことにより形成することができる。
【００５０】
電池体２５の温度上昇によって発生したガスにより円筒型電池２内の内圧が過剰に上昇した場合には、ガス放出弁２９´が破壊され、円筒型電池２の外側にガスを放出させることができる。
【００５１】
このように、本実施例では、正極ネジ軸部２１の正ネジ軸Ｙ２を円筒型電池２の長手方向中心軸Ｙ１に対して偏芯させることにより、従来技術（ネジ軸と円筒型電池の長手方向軸が同軸の従来技術）よりも、ガス放出弁２９´の形成面積（長手方向中心軸Ｙ１に直交する方向の面積）を広くすることができる。これにより、円筒型電池２の安全性を高めることができる。なお、ガス放出弁２９´は、負極ネジ軸部２２の平板部２９にも形成されている。
【００５２】
円筒型電池２として、ニッケル水素電池を使用した場合には、平板部２９にスプリング式の自動復帰弁からなるガス放出弁２９´を設けるとよい。このスプリング式の自動復帰弁は、平板部２９内に形成された開口部内に板厚方向に移動可能に可動弁を設け、この可動弁にスプリングを取り付けることにより構成することができる。
【００５３】
円筒型電池２内の内圧が上昇すると、可動弁は、スプリングのバネ力に抗して開口部内から退避し、開口部を介して円筒型電池２の外側にガスが放出される。ガス放出により内圧が低下すると、スプリングのバネ力により可動弁は開口部内に復帰する。
【００５４】
正及び負極ネジ軸部２１、２２は、図６（ａ）の構成とすることもできる。ここで、図６は正極（負極）ネジ軸部２１（２２）の斜視図である。正極（負極）ネジ軸部２１（２２）は、筒状に形成されており、内周面にネジ溝部（雌ネジ）が切られている。この正極（負極）ネジ軸部２１（２２）は、平板部２９により保持されており、正極（負極）ネジ軸部２１（２２）及び平板部２９は一体的に形成されている。
【００５５】
正極（負極）ネジ軸部２１（２２）に不図示のボルト（締結部材）を締結することにより、各円筒型電池２を電池フォルダ１に固定することができる。
【実施例２】
【００５６】
図５を参照して、本実施例の円筒型電池２´を説明する。ここで、図５は本実施例の円筒型電池２´の断面図である。実施例１と同一の構成要素は、同一符号を付して説明を省略する。
【００５７】
円筒型電池２´の両端は、電池外套缶２４の一部を構成する封止部２４´によって封止されており、この封止部２４´に対して集電板２６から引き出された導電線２７が溶接されている。
【００５８】
封止部２４´の電池外側の面には正及び負電極ネジ軸部２１、２２が溶接されており、実施例１と同様に、正及び負極ネジ軸部２１、２２のネジ軸Ｙ２、Ｙ３は、長手方向中心軸Ｙ１に対して偏芯した点対称の位置に配置されている。なお、長手方向中心軸Ｙ１に対して偏芯した同軸上に配置することもできる。上述の構成によれば、実施例１と同様の効果を得ることができる。さらに、正及び負極ネジ軸部２１、２２は封止部２４´に溶接されているため、正及び負極ネジ軸部２１、２２の交換作業において電池の封止状態を維持することができる。
【００５９】
正及び負極ネジ軸部２１、２２は、図６（ｂ）の構成とすることもできる。ここで、図６（ｂ）は正極（負極）ネジ軸部２１（２２）の斜視図である。筒状に形成された正極（負極）ネジ軸部２１（２２）の内周面には、ネジ溝部（雌ネジ）が切られている。この正極（負極）ネジ軸部２１（２２）は封止部２４´に溶接されている。
【００６０】
正極（負極）ネジ軸部２１（２２）に対して不図示のボルト（締結部材）を締結することにより、各円筒型電池２´を電池フォルダ１に固定することができる。
【実施例３】
【００６１】
次に、図７を参照しながら、本実施例の筒型電源としての円筒型電池について説明する。ここで、図７は、正極ネジ軸部２１の斜視図である。
【００６２】
図７（ａ）では、実施例１の円筒型電池２のガス放出弁２９´に相当する位置に断面形状が円形の電解液注入口４１を形成している。なお、その他の構成は、実施例１と同様であるため、説明を省略する。
【００６３】
このように、円筒型電池２の長手方向中心軸Ｙ１に対して正極ネジ軸部２１の正ネジ軸Ｙ２を偏芯させることにより、電解液注入口４１の液注入面積を広くすることができる。これにより電解液の注入作業を容易化することができる。
【００６４】
電解液注入口４１の形状は、図８（ｂ）に図示するように、長穴形状とすることもできる。さらに、電解液注入口４１は、負極ネジ軸部２２の平板部２９にも形成することができる。本実施例によれば、実施例１と同様の効果を得ることができる。
（変形例）
正及び負極ネジ軸部２１、２２のネジ軸Ｙ２、Ｙ３は、点対称でも同軸上でもない長手方向中心軸Ｙ１に対して偏芯した位置に配置することもできる。この場合、ネジ軸Ｙ２及びＹ３のうち一方の軸を長手方向中心軸Ｙ１上に配置して、他方の軸を長手方向中心軸Ｙ１に対して偏芯させてもよいし、両方の軸を長手方向中心軸Ｙ１に対して偏芯させてもよい。
【００６５】
上述の構成によれば、締結部材（締結ナット２３、締結ボルト）の回転動作に応じて円筒型電池２（２´）が回転するのを抑制できる。これにより、バスバー開口部３ａや挿入穴部１１ａ（１１ｂ）に回転した正極（負極）ネジ軸部２１（２２）（締結側とは反対側のネジ軸部）が当接して、過剰に負荷がかかるのを抑制できる。
【００６６】
また、円筒型電池２をリチウムイオン電池としたが、本願発明は、例えば、集電体の一方の面に正極層、他方の面に負極層が形成されたバイポーラ電極を電解質を介して積層した円筒型のバイポーラ電池（筒型電源）や、円筒型の電気二重層キャパシタ（筒型電源）や、円筒型の燃料電池（筒型電源）にも適用することができる。
【００６７】
さらに、本願発明は、円筒型の電源のみならず角型の筒型電源にも適用することができる。なお、上述の筒型電源は、例えば、電気自動車（ＥＶ）、ハイブリッド自動車（ＨＥＶ）、燃料電池車（ＦＣＶ）におけるモータ駆動用の電源として用いることができる。
【図面の簡単な説明】
【００６８】
【図１】組電池の斜視図である。
【図２】円筒型電池の図であり、（ａ）が斜視図であり、（ｂ）が断面図である。
【図３】組電池の平面図である。
【図４】円筒型電池の長手方向段面図である。
【図５】実施例２の円筒型電池の長手方向段面図である。
【図６】ネジ軸部の斜視図である。
【図７】実施例３のネジ軸部の斜視図である。
【図８】従来の円筒型電池の図であり、（ａ）が斜視図であり、（ｂ）が断面図である。
【符号の説明】
【００６９】
１  電池フォルダ
２  ２´円筒型電池
３  バスバー
３ａ  バスバー開口部
１１ａ  １１ｂ  挿入穴部
２１  正極ネジ軸部
２２  負極ネジ軸部
２３  締結ナット
２４  電池外套缶
２４´  封止部
２５  電池体
２５ａ  セパレータ
２５ｂ  正電極体
２５ｃ  負電極体
２６  集電体
２７  導電線
２８  ネジ台座部
２９  平板部
２９´  ガス放出弁
４１  電解液注入口
【図１】
2008135357.tif 000003
【図２】
2008135357.tif 000004
【図３】
2008135357.tif 000005
【図４】
2008135357.tif 000006
【図５】
2008135357.tif 000007
【図６】
2008135357.tif 000008
【図７】
2008135357.tif 000009
【図８】
2008135357.tif 000010